(57)【要約】【課題】局部的に発症する褥瘡を低減できる空気マット及びその制御装置並びに空気マット装置を提供する。【解決手段】空気マット本体１２の表面にマトリックス状に配置された柔軟性を有する複数の円柱形状をなす突起部１１を備えた空気マット１を設け、突起部１１内の空気室の空気圧を空気圧センサによって個々に検出し、検出結果に基づいて、制御ユニット２によって各突起部１１毎に設けた電磁バルブの開閉制御を行うと共に制御ユニット２内のポンプ装置から空気を供給して各空気室の空気圧を制御することで、各突起部１１と使用者の身体との接触圧力を例えば均等になるように自動的に調整する。また、隣り合う突起部１１間に隙間が形成され、この隙間における空気の流通が生じ空気マット１と使用者の身体との間に蒸れを生ずることがないため、これによっても使用者の身体における褥瘡の発症を低減することができる。【選択図】図１
2006204561.tif 000002
【特許請求の範囲】
【請求項１】
平板状のマット本体と、
柔軟性及び非通気性を有する部材からなり、前記マット本体の表面に互いに所定の間隔をあけてマトリクス状に固定して配置され、内部に密封された空気室が形成されている複数の突起部と、
前記各突起部毎に設けられ、突起部の空気室内の空気圧を検出して検出結果を電気信号としてを出力する複数の空気圧センサと、
外部より空気を流入するための空気流入口と、
各突起部毎に設けられ、一端の連通口がチューブを介して前記空気流入口に連結されると共に、他端の連通口が前記突起部の空気室内に連通する複数の空気流入用電磁弁と、
各突起部毎に設けられ、一端の連通口が前記空気室の外部に開放されると共に、他端の連通口が前記空気室内に連通する複数の空気流出用電磁弁と、
各突起部毎に設けられ、当該突起部に対応する空気圧センサの検出結果の情報及び自己の識別情報を外部の制御装置に対して所定時間おきに送信する検出結果送信手段と、
各突起部の空気室に連通する空気流入用電磁弁に対して前記制御装置から出力された開閉駆動制御信号を伝達する手段と、
各突起部の空気室に連通する空気流出用電磁弁に対して前記制御装置から出力された開閉駆動制御信号を伝達する手段とを備えている
ことを特徴とする空気マット。
【請求項２】
各突起部毎に設けられ、前記制御装置から出力された開閉指示信号を受信し、該受信した開閉指示信号に基づいて、当該突起部の空気室に連通する空気流入用電磁弁と空気流出用電磁弁の開閉駆動制御を行う複数の制御手段を備えている
ことを特徴とする請求項１に記載の空気マット。
【請求項３】
前記突起部は柱形状をなしていることを特徴とする請求項１または請求項２に記載の空気マット。
【請求項４】
前記突起部は円柱形状をなしていることを特徴とする請求項３に記載の空気マット。
【請求項５】
前記突起部の先端が半球形状をなしていることを特徴とする請求項３または請求項４に記載の空気マット。
【請求項６】
前記突起部が半球形状をなしていることを特徴とする請求項１または請求項２に記載の空気マット。
【請求項７】
前記制御手段は、前記空気圧の検出結果及び前記識別情報を電波で送信すると共に前記開閉指示信号及び前記識別情報を電波で受信する手段を有していることを特徴とする請求項１乃至請求項６の何れかに記載の空気マット。
【請求項８】
前記制御手段は、前記空気圧の検出結果及び前記識別情報を各制御手段で共用する導電線を介して送信すると共に前記開閉指示信号及び前記識別情報を各制御手段で共用する導電線を介して受信する手段を有していることを特徴とする請求項１乃至請求項６の何れかに記載の空気マット。
【請求項９】
前記突起部の平断面積が２０平方センチメートル以下に設定されていることを特徴とする請求項１乃至請求項８の何れかに記載の空気マット。
【請求項１０】
前記請求項１乃至請求項９の何れかに記載の空気マットの制御装置であって、
前記空気マットの空気流入口へ空気を送出する手段と、
前記空気マットの各検出結果送信手段から送信される検出結果及び識別情報を受信し、該受信した検出結果及び識別情報に基づいて、前記空気マットの各突起部における空気室内の空気圧を所定値に設定するための空気流入用電磁弁と空気流出用電磁弁の開閉指示信号を生成して出力する中央制御手段とを備えている
ことを特徴とする空気マット制御装置。
【請求項１１】
前記請求項２に記載の空気マットの制御装置であって、
前記空気マットの空気流入口へ空気を送出する手段と、
前記空気マットの各検出結果送信手段から送信される検出結果及び識別情報を受信し、該受信した検出結果及び識別情報に基づいて、前記空気マットの各突起部における空気室内の空気圧を所定値に設定するための空気流入用電磁弁と空気流出用電磁弁の開閉指示信号を生成し、該開閉指示信号を前記空気マットの該当する突起部に対応する制御手段の識別情報と共に各制御手段に送信する中央制御手段とを備えている
ことを特徴とする空気マット制御装置。
【請求項１２】
前記中央制御手段は、各突起部の空気室内の空気圧を比較して、空気圧が高い空気室の空気圧を他の空気室の空気圧と等しくなるように、前記空気圧が高い空気室に対応する空気流出用電磁弁を開放する開閉指示信号を生成して出力する手段を有する
ことを特徴とする請求項１０または請求項１１に記載の空気マット制御装置。
【請求項１３】
前記中央制御手段は、各突起部の空気室内の空気圧を比較して、空気圧が高い空気室の空気圧を他の空気室の空気圧よりも低くなるように、前記空気圧が高い空気室に対応する空気流出用電磁弁を開放する指示信号を生成して出力する手段を有する
ことを特徴とする請求項１０または請求項１１に記載の空気マット制御装置。
【請求項１４】
前記中央制御手段は、
前記各突起部のマトリックス座標位置と前記各突起部に対応する制御手段の識別情報とを対応付けて記憶している記憶手段と、
該記憶手段の記憶情報に基づいて、前記各突起部に対応する空気流入用電磁弁と空気流出用電磁弁の開閉指示信号を生成する手段とを有する
ことを特徴とする請求項１０乃至請求項１３の何れかに記載の空気マット制御装置。
【請求項１５】
前記中央制御手段は、
所定のマトリックス座標位置の突起部を脈動させるために、該突起部に対応する空気流入用電磁弁と空気流出用電磁弁を交互に開閉する指示信号を生成して出力する手段を有する
ことを特徴とする請求項１４に記載の空気マット制御装置。
【請求項１６】
前記中央制御手段は、前記空気圧の検出結果及び前記識別情報を電波で受信する手段を有している
ことを特徴とする請求項１０乃至請求項１５の何れかに記載の空気マット制御装置。
【請求項１７】
前記中央制御手段は、前記開閉指示信号を電波で送信する手段を有している
ことを特徴とする請求項１１に記載の空気マット制御装置。
【請求項１８】
前記中央制御手段は、前記空気圧の検出結果及び前記識別情報を前記各制御手段で共用する導電線を介して受信する手段を有している
ことを特徴とする請求項１０乃至請求項１５の何れかに記載の空気マット制御装置。
【請求項１９】
前記中央制御手段は、前記開閉指示信号及び前記識別情報を前記各制御手段で共用する導電線を介して送信する手段を有している
ことを特徴とする請求項１１に記載の空気マット制御装置。
【請求項２０】
請求項１乃至請求項９の何れかに記載の空気マットと、請求項１０乃至請求項１９の何れかに記載の空気マット制御装置とからなることを特徴とする空気マット装置。
【発明の詳細な説明】
【技術分野】
【０００１】
本発明は、使用者の身体における褥瘡の発生を低減できる空気マット及びその制御装置並びに空気マット装置に関するものである。
【背景技術】
【０００２】
従来、入院患者等における褥瘡（床ずれ）の発生が問題となっており、褥瘡の発生を低減するための装置として、例えば、実開平７−４２６３１号公報（特許文献１）に開示される治療用空気マットが知られている。
【０００３】
この治療用空気マットは、空気マット本体が中央部で分割された左右一対の独立空気室で構成されているとともに、左右の独立空気室に膨張時にその内側の高さが低く、外側の高さが高くなるように適宜高さの連結部材で区割された大小複数の連通した膨張部が設けられ、独立空気室にそれぞれ空気供給口が形成されているもので、空気室の膨張、収縮の繰り返しによって患者の体位変換を行う用にしたものである。
【０００４】
また、これに類似する空気マット装置が、実開平６−４３８号公報（特許文献２）、特開２０００−１９７６７２号公報（特許文献３）、特開２００２−６５４０５号公報（特許文献４）等にも開示されている。
【０００５】
上記特許文献２に開示される空気マット装置は、複数の空気袋を内蔵し該空気袋の膨張により外表面に突状部を形成するマット本体と、空気袋を膨張・収縮させる給排装置とを備え、マット本体に、マット本体の外表面温度を上昇させる発熱体を設置したものであり、空気袋の膨張により外表面に突状部を形成するマット本体と、身体の突状部近辺との接触・分離が断続的に行われることを利用して、よりマッサージ効果を高めるようにしたものである。
【０００６】
上記特許文献３に開示されるエアマット装置は、袋状のエアセルを複数本並設したエアマットと、このエアマットの各エアセル内にエアを注入するエアポンプと、このエアポンプを制御する制御部と、制御部内に、手動操作で作動し、エアポンプを制御してエアセル内の圧力を所定の時間、所定の加圧をする加圧機構とを備え、病人等が長期に渡って床に伏せる場合などに生じる褥瘡を予防すると共にギャッジアップ時のボトミングによる不具合を解消できるようにしたものである。
【０００７】
また、上記特許文献４に開示されるエアマットは、重ね合わされた可撓性を有する第１シート及び中間シートよりなり該両シートの接合部である第１接合部を介して複数連接形成されてなる第１エアセル群と、重ね合わされた可撓性を有する上記中間シート及び第２シートよりなり該両シートの接合部である第２接合部を介して複数連接形成されてなる第２エアセル群とを備え、上記第２エアセル群を構成する第２エアセルは上記第１エアセル群を構成する第１エアセルの２倍の幅を有し、上記第２接合部が上記第１接合部に一致せしめられてなり、かかる構成において、第１エアセル群を上面とした場合、第１エアセルの間の第１接合部が第２エアセルの空気圧に押されて盛り上がる方向の力を受け、第１接合部及びその周辺に平坦に近い領域を形成しているため、これに就寝した患者の体重が加わったとき、この領域が患者の体を接触時から面にて支え、他方、第２エアセル群を上面とした場合、その空気圧を低く抑えることにより、患者の体を広い面にて、均等に支え、体圧分散を良好にし、局部的に圧力が加わることにより発生する床擦れを防止するようにしたものである。
【特許文献１】実開平７−４２６３１号公報
【特許文献２】実開平６−４３８号公報
【特許文献３】特開２０００−１９７６７２号公報
【特許文献４】特開２００２−６５４０５号公報
【発明の開示】
【発明が解決しようとする課題】
【０００８】
しかしながら、現実の褥瘡の発症例を見ると、褥瘡の大きさが直径４〜５ｃｍ程度の発症が局部的に数カ所同時に起こっており、単なる大きいブロック毎のエアーセルの空気圧変化によって褥瘡の発症を低減することは不可能である。
【０００９】
本発明は前記問題点に鑑みてなされたものであり、その目的とするところは、局部的に発症する褥瘡を低減できる空気マット及びその制御装置並びに空気マット装置を提供することにある。
【課題を解決するための手段】
【００１０】
本発明は前記目的を達成するために、平板状のマット本体と、柔軟性及び非通気性を有する部材からなり、前記マット本体の表面に互いに所定の間隔をあけてマトリクス状に固定して配置され、内部に密封された空気室が形成されている複数の突起部と、前記各突起部毎に設けられ、各突起部の空気室内の空気圧を検出して検出結果を電気信号としてを出力する複数の空気圧センサと、外部より空気を流入するための空気流入口と、各突起部毎に設けられ、一端の連通口がチューブを介して前記空気流入口に連結されると共に、他端の連通口が前記突起部の空気室内に連通する複数の空気流入用電磁弁と、各突起部毎に設けられ、一端の連通口が前記空気室の外部に開放されると共に、他端の連通口が前記空気室内に連通する複数の空気流出用電磁弁と、各突起部毎に設けられ、当該突起部の空気室に設けられた空気圧センサの検出結果の情報及び自己の識別情報を外部の制御装置に対して所定時間おきに送信する検出結果送信手段と、各突起部の空気室に連通する空気流入用電磁弁に対して前記制御装置から出力された開閉駆動制御信号を伝達する手段と、各突起部の空気室に連通する空気流出用電磁弁に対して前記制御装置から出力された開閉駆動制御信号を伝達する手段とを備えている空気マットを提案する。
【００１１】
本発明の空気マットは、内部に密封された空気室が形成されている複数の突起部が、マット本体の表面に互いに所定の間隔をあけてマトリクス状に固定して配置されている。さらに、各突起部毎に突起部の空気室内の空気圧を検出して検出結果を電気信号としてを出力する複数の空気圧センサが設けられている。
【００１２】
この空気圧センサによる検出結果の情報は、検出結果送信手段によって、自己の識別情報と共に外部の制御装置に対して所定時間おきに送信される。
【００１３】
また、各突起部の空気室に連通する空気流入用電磁弁に対しては、前記外部の制御装置から出力された開閉駆動制御信号が伝達され、各突起部の空気室に連通する空気流出用電磁弁に対して前記制御装置から出力された開閉駆動制御信号が伝達される。これにより、各突起部の空気室内部の空気圧が制御される。
【００１４】
このため、上記の空気マットを例えばベッドに使用した場合、各突起部と身体との接触圧力を最適に調整することが可能になる。
【００１５】
また、本発明は前記目的を達成するために、前記空気マットの空気流入口へ空気を送出する手段と、前記空気マットの各検出結果送信手段から送信される検出結果及び識別情報を受信し、該受信した検出結果及び識別情報に基づいて、前記空気マットの各突起部における空気室内の空気圧を所定値に設定するための空気流入用電磁弁と空気流出用電磁弁の開閉指示信号を生成して出力する中央制御手段とを備えている空気マット制御装置を提案する。
【００１６】
本発明の空気マット制御装置では、中央制御手段によって、空気圧センサによる検出結果に基づいて、各突起部の空気室に連通する空気流入用電磁弁に対して、開閉駆動制御信号が出力されると共に、各突起部の空気室に連通する空気流出用電磁弁に対して開閉駆動制御信号が出力される。これにより、各突起部の空気室内部の空気圧が制御される。このため、上記の空気マットを例えばベッドに使用した場合、各突起部と身体との接触圧力を最適に制御することが可能になる。
【００１７】
また、本発明は前記目的を達成するために、前記空気マットの空気流入口へ空気を送出する手段と、前記空気マットの各検出結果送信手段から送信される検出結果及び識別情報を受信し、該受信した検出結果及び識別情報に基づいて、前記空気マットの各突起部における空気室内の空気圧を所定値に設定するための空気流入用電磁弁と空気流出用電磁弁の開閉指示信号を生成し、該開閉指示信号を前記空気マットの該当する突起部に対応する制御手段の識別情報と共に各制御手段に送信する中央制御手段とを備えている空気マット制御装置を提案する。
【００１８】
本発明の空気マット制御装置は、中央制御手段によって、空気マットの各検出結果送信手段から送信される検出結果及び識別情報に基づいて、空気マットの各突起部における空気室内の空気圧を所定値に設定するための空気流入用電磁弁と空気流出用電磁弁の開閉指示信号が生成され、該開閉指示信号が空気マットの該当する突起部に対応する制御手段の識別情報と共に各制御手段に送信される。
【００１９】
これにより、各制御手段によって、空気流入用電磁弁と空気流出用電磁弁の開閉駆動制御が行われる。
【００２０】
さらに、本発明は前記目的を達成するために、上記の空気マットと空気マット制御装置とからなる空気マット装置を提案する。
【発明の効果】
【００２１】
本発明の空気マットによれば、個々に隔離された空気室を有する突起部がマット本体の表面にマトリックス状に複数配置されているので、各空気室内の空気圧に基づいて、外部の制御装置により各空気室に対応した空気流入用電磁弁と空気流出用電磁弁の開閉が行われることにより、各突起部と使用者の身体との接触圧力が最適に制御されるので、突起部と使用者の身体との接触圧が局部的に高くなって褥瘡が発症することを低減することができる。また、突起部がマトリックス状に配置されているので、隣り合う突起部間に隙間が形成され、該隙間における空気の流通が生じ空気マットと使用者の身体との間に蒸れを生ずることがないため、これによっても使用者身体における褥瘡の発症を低減することができる。
【００２２】
本発明の空気マット制御装置によれば、上記の空気マットにおける各突起部の空気室内の空気圧を突起部毎に制御することができるので、突起部と使用者の身体との接触圧が局部的に高くなることを防止することができるため、充血の発生を低減できると共に使用者の身体における褥瘡の発症を低減することができる。
【００２３】
本発明の空気マット装置によれば、各突起部と使用者の身体との接触圧力が最適に制御され、突起部と使用者の身体との接触圧が局部的に高くなることを防止することができるので、使用者の身体における褥瘡の発症を低減することができる。また、突起部がマトリックス状に配置されているので、隣り合う突起部間に隙間が形成され、該隙間における空気の流通が生じ空気マットと使用者の身体との間に蒸れを生ずることがないため、これによっても使用者の身体における褥瘡の発症を低減することができる。
【発明を実施するための最良の形態】
【００２４】
（第１実施形態）
以下、図面を参照して本発明の一実施形態を説明する。
【００２５】
図１は本発明の第１実施形態における空気マット装置を示す外観斜視図、図２は本発明の第１実施形態における空気マットの要部を示す外観斜視図、図３は本発明の第１実施形態における空気マットの要部を示す断面図、図４は本発明の第１実施形態におけるセンサユニットの電気系回路を示すブロック図、図５は本発明の第１実施形態における空気マット及び制御ユニットの電気系回路及び空気流通回路を示すブロック図、図６は本発明の第１実施形態の空気マットにおける電気系配線及び空気流通回路を示す図である。
【００２６】
図１において、１は空気マット、２は制御ユニットで、空気マット１と制御ユニット２によって本発明の空気マット装置が構成される。
【００２７】
本実施形態における空気マット１は、例えば福祉施設や病院等のベッドに敷いて用いるもので、幅が１００ｃｍ、長さが２１０ｃｍの長方形の板状をなしている。また、空気マット１は、柔軟性を有する部材からなる平板状のマット本体１２とマット本体１２の表面にマトリックス状に配置されて立設された複数の突起部１１とを有し、マット本体１２の底面には互いに平行な複数の空気流通溝１２ａが形成されている。
【００２８】
突起部１１は、柔軟性及び非通気性を有する部材からなり、図２及び図３に示すように、内部に空気漏れのないように密閉された空気室３１を有する円筒形状をなし、その直径Ｄは２．５ｃｍ、高さＨは１０ｃｍ、互いに直交するＸ軸方向及びＹ軸方向の突起部１１の間隔Ｇ１，Ｇ２は１．２５ｃｍに設定され、マット本体１２の幅方向（Ｘ方向）に２６個、マット本体１２の長さ方向（Ｙ方向）に５５個、合計１４３０個が並べて設けられている。尚、各突起部１１の空気室３１は個々に隔離されている。また、本実施形態ではベッド用のマットを構成したが、本発明の空気マットをベッド用マットまたは他の用途に用いる場合、その使用目的や使用形態に応じて、突起部１１の直径Ｄとしては４ｍｍ〜５０ｍｍ、間隔Ｇ１，Ｇ２としては２ｍｍ〜２０ｍｍ、高さＨとしては５ｍｍ〜１５０ｍｍの範囲内の値に適宜設定することが好ましい。
【００２９】
また、空気マット１のマット本体１２の一側面には、後述する電磁バルブ（電磁弁）駆動用の電力供給用配線を接続するためのコネクタ１３と、空気供給口となる空気供給チューブ接続用のコネクタ１４とが設けられている。これらのコネクタ１３，１４にはケーブル２６と空気供給チューブ２７が接続されている。
【００３０】
また、ケーブル２６と空気供給チューブ２７は、コネクタ２４，２５を介して制御ユニット２に接続されている。
【００３１】
制御ユニット２は、直方体形状の筐体２１を備え、筐体２１の一側面にコネクタ２４，２５と、電源スイッチ２２、モード切替スイッチ２３が設けられ、筐体２１の所定位置から先端にプラグ２８ａが設けられた電源コード２８が引き出されている。
【００３２】
また、空気マット１は、図３に示すように、突起部形成層３０と、中間層４０、最下層４０の３つのゴム層からなり、それぞれ個別に形成された後に接着されて一体化されている。
【００３３】
突起部形成層３０は薄手の所定厚さ、例えば３ｍｍの厚さの柔軟性及び非通気性を有するゴムシートからなり、上記の突起部１１をなす凹凸面状に形成されている。
【００３４】
中間層４０は、所定厚さ、例えば２０ｍｍの厚さの柔軟性及び非通気性を有するゴム板からなり、突起部１１の底部に当たる位置に、部品収納用の凹部４１と、電磁バルブ６１，６２及び空気流通チューブ配設用の凹部及び貫通孔が形成されている。
【００３５】
最下層５０は、所定厚さ、例えば２０ｍｍの厚さの柔軟性及び非通気性を有するゴム板からなり、部品収納用の凹部４１に当たる位置に貫通孔５１が形成されていると共に、底面側に前述した空気流通溝１２ａが形成されている。
【００３６】
また、中間層４０の上面には、突起部１１がによって形成される空気室３１内にセンサユニット100が接着して固定され、センサユニット100の底面から下方に突出した２つの電源端子101,102が中間層４０を突き抜けて部品収納用凹部４１に突出している。凹部４１内に突出した電源端子101,102のそれぞれには電極103,104が接続され、これらの電極103,104は凹部４１内に固定されている。さらに、凹部４１内には電極103,104のそれぞれに正極および負極が当接するように嵌入された電池105が配置され、凹部４１の開口部は電池105を支えるように蓋部材４２によって閉鎖されている。
【００３７】
また、中間層４０の下面側には空気流出用の電磁バルブ６１と空気流入用の電磁バルブ６２が中間層４０に形成されている凹部に嵌入され、電磁バルブ６１の吸気口に一端が接続された空気流通チューブ６３は中間層４０を貫通してその他端が空気室３１に突出し、電磁バルブ６１の排気口に一端が接続された空気流通チューブは最下層５０を貫通してその他端が最下層５０の底面側に形成されている空気流通溝１２ａ内に露出している。これにより、電磁バルブ６１の弁を開放することによって空気室３１の内部の空気を外部に排気することができる。
【００３８】
また、電磁バルブ６２の排気口に一端が接続された空気流通チューブ６５は中間層４０を貫通してその他端が空気室３１に突出し、電磁バルブ６２の吸気口には空気供給口となる空気供給チューブ接続用のコネクタ１４に接続された空気流通チューブ６６が接続されている。この空気流通チューブ６６はコネクタ１４と各電磁バルブ６２の吸気口に並列に（バス状に）接続されている。
【００３９】
尚、センサユニット100の電源端子101,102及び空気流通チューブ６３，６５は、空気室３１の空気漏れが無いように中間層４０に設けられている。また、本実施形態では、空気流通チューブとして例えばナイロン製の空気流通チューブを用いている。
【００４０】
センサユニット100は、図４に示すように、空気圧センサ110と、周知のＣＰＵ111、メモリ112、送信回路113、送信用アンテナ114から構成され前述した電池105から駆動用の電力供給を受けている。
【００４１】
空気圧センサ110は空気室３１内の空気圧を検出して、この検出結果に対応する電気信号をＣＰＵ111に出力する。
【００４２】
ＣＰＵ111は、メモリ112に格納されているプログラムに基づいて動作し、所定時間おき、例えば１０秒おきに空気圧センサ110の検出結果の情報を送信回路113を介して送信する。このとき、ＣＰＵ111は、メモリ112に予め格納されてる自己の識別情報（以下、ＩＤコードと称する）を読み出して、このＩＤコードと共に検出結果の情報を送信する。尚、本実施形態では各センサユニット100のＩＤコードの一部として図６に示すようなＸ座標の値及びＹ座標の値を含めることにより、センサユニット100の装着位置を容易に把握できるようにしている。
【００４３】
送信回路113は、ＣＰＵ111から入力したＩＤコードと検出結果の情報を、送信用アンテナ115を介して所定周波数の電波として制御ユニット２へ向けて送信する。尚、本実施形態では、病院等の医療機関においても使用が許可されている微弱無線用の周波数である３１５ＭＨｚ帯の周波数を送信周波数として用い、高周波出力を１０μＶ／ｍに設定している。
【００４４】
次に、空気マット１及び制御ユニット２の電気系回路及び空気流通回路に関して、図５及び図６を参照して説明する。
【００４５】
制御ユニット２は、ポンプ装置211と、ポンプ駆動回路212、受信用アンテナ221、受信回路222、ＣＰＵ223、メモリ224、開閉制御インタフェース回路225、電源回路240を備えている。
【００４６】
ポンプ装置211は、ＣＰＵ223によって制御されるポンプ駆動回路212によって駆動され、駆動時には圧縮空気を各電磁バルブ６２に供給する。このときポンプ装置から送出された圧縮空気は、コネクタ２５及び供給チューブ２７、コネクタ１４、空気流通チューブ６６を介して各電磁バルブ６２に供給される。
【００４７】
ポンプ駆動回路212は、ＣＰＵ223からの制御信号を入力し、この制御信号に基づいてポンプ装置211を駆動する。
【００４８】
受信回路222は、各センサユニット100から送信された電波をアンテナ221を介して受信し、受信電波からセンサユニット100のＩＤコードと空気圧検出結果の情報を抽出して、これらをディジタルデータとしてＣＰＵ223に出力する。
【００４９】
ＣＰＵ223は、メモリ224に格納されているプログラムによって動作し、受信回路222からセンサユニット100のＩＤコードと空気圧検出結果の情報を入力すると共に、モード切替スイッチ２３による動作モード設定状態を読みとり、これらに基づいて、ポンプ駆動回路の動作制御を行うと共に各電磁バルブ６１，６２の開閉を行うための制御信号を開閉制御インタフェース回路225に出力する。
【００５０】
また、ＣＰＵ223は、各センサユニット100による空気圧検出結果をＸ座標及びＹ座標に対応させてメモリ224に格納して各空気室３１内の空気圧を管理すると共に、この情報に基づいて、各突起部１１に対応する空気流出用電磁バルブ６１と空気流入用電磁バルブ６２の開閉制御信号を生成する。
【００５１】
メモリ224は、例えば周知のＲＯＭ及びＲＡＭ或いはＥＥＰＲＯＭ等からなりＲＯＭにはＣＰＵ駆動用のプログラムが記憶され、ＲＡＭ或いはＥＥＰＲＯＭに検出結果の情報を記憶されると共に空気室３１の初期状態としての空気圧の値Ｐ１が記憶されている。
【００５２】
開閉制御インタフェース回路225は、ＣＰＵ223からの制御信号を入力し、この制御信号に基づいて、各電磁バルブ６１，６２毎に開閉制御信号を出力する。この開閉制御インタフェース回路225から出力された開閉制御信号は、コネクタ２５及びケーブル２６、コネクタ１３を介して各電磁バルブ６１，６２に供給される。
【００５３】
電源回路240は前述した電源ケーブル２８を介して商用電源から電力供給を受け、電源スイッチ２２がオン状態のときに、制御ユニット２内の各電気回路へ電力を供給すると共に、コネクタ２５及びケーブル２６、コネクタ１３を介して各電磁バルブ６１，６２に電力を供給する。
【００５４】
一方、空気マット１においては、図６に示すように、各電磁バルブ６２に接続された５５本の空気流通チューブ６６がＸ軸方向に延ばして配置され、これらの空気流通チューブを並列に接続する空気流通チューブ６６によってコネクタ１４に接続されている。また、各電磁バルブ６１，６２への電力供給線及び制御信号供給線を含む電気配線６７も同様に配置されてコネクタ１３に接続されている。
【００５５】
上記構成よりなる空気マット装置によれば、各突起部１１と使用者の身体との接触圧力が最適に制御され、突起部１１と使用者の身体との接触圧が局部的に高くなることを防止することができるので、使用者の身体における褥瘡の発症を低減することができる。また、突起部１１がマトリックス状に配置されているので、隣り合う突起部１１間に隙間が形成され、この隙間における空気の流通が生じ空気マット１と使用者の身体との間に蒸れを生ずることがないため、これによっても使用者の身体における褥瘡の発症を低減することができる。
【００５６】
次に、前述の構成よりなる本実施形態の空気マット装置の動作に関して図７に示すフローチャートを参照して説明する。
【００５７】
空気マット１を使用する際には、空気マット１をベッド等に敷いてシーツ等の布を上面に掛けて使用する。また、使用する前に制御ユニット２の電源スイッチ２２をオンにして制御ユニット２を動作させる。
【００５８】
動作を開始した制御ユニット２のＣＰＵ223は、各センサユニット100から空気圧の検出結果を受信し、空気圧が初期値Ｐ１に満たない空気室３１が存在するときは、ポンプ装置211を駆動すると共に空気圧が初期値Ｐ１に満たない空気室３１に対応する空気流入用の電磁バルブ６２を開いて各空気室３１の空気圧を初期値Ｐ１に設定する（Ｓ１）。
【００５９】
この後、ＣＰＵ223は各センサユニット100の検出結果の空気圧をメモリ224に記憶する（Ｓ２）。次いで、モード切替スイッチ２３の状態を読み込んで、動作モードがＡモードであるかＢモードであるかを判定する（Ｓ３）。本実施形態では、Ａモードでは使用者が空気マット１上に横になった状態でも全ての突起部１１の空気室３１の空気圧が常に初期値Ｐ１になるように制御し、ＢモードではＸ軸方向の列毎に突起部１１の空気室３１の空気圧を初期値Ｐ１から初期値Ｐ１よりも低い空気圧Ｐ２に低下させ、この後また初期値Ｐ１に戻す操作をＹ軸方向に順次移動して行い、Ｙ軸座標が最終座標になった後にＹ軸座標０１に戻って同様に繰り返す制御を行う。これにより、Ｂモードでは各突起部１１の高さが上下し、これがＹ軸方向へ波打つように移動するので、突起部１１間の隙間に空気の流れを起こさせることができる。
【００６０】
上記Ｓ３の判定の結果、動作モードがＡモードのときは、初期値Ｐ１以上の空気圧となっている空気室３１の圧力を初期値Ｐ１に設定するように、ポンプ装置211及び電磁バルブ６１，６２の開閉を制御する（Ｓ４）。
【００６１】
次いで、ＣＰＵ223はタイマ計時を開始し（Ｓ５）、タイマの計時が時間Ｔ１を経過したか否かを判定する（Ｓ６）。この判定の結果、タイマの計時が時間Ｔ１を経過したときは前記Ｓ１の処理に移行する。尚、本実施形態では時間Ｔ１を１０秒に設定している。
【００６２】
また、上記Ｓ３の判定の結果、動作モードがＢモードのときは、ＣＰＵ223は変数Ｋに０を設定し（Ｓ７）、Ｙ座標がＫである全てのＸ座標の突起部１１の空気室３１の空気圧を初期値よりも低い空気圧Ｐ２に設定し（Ｓ８）、この後、タイマ計時を開始する（Ｓ９）。この後、タイマの計時が時間Ｔ２を経過したか否かを判定し（Ｓ１０）、タイマの計時が時間Ｔ２を経過したときに、Ｙ座標がＫである全てのＸ座標の突起部１１の空気室３１の空気圧を初期値Ｐ１に設定するように、ポンプ装置211及び電磁バルブ６１，６２の開閉を制御する（Ｓ１１）。
【００６３】
この後、ＣＰＵ223は、モード切替スイッチ２３の状態を読み込んで、動作モードがＡモードであるかＢモードであるかを判定する（Ｓ１２）。この判定の結果、動作モードがＡモードのときは前記Ｓ１の処理に移行し、動作モードがＢモードのときは変数Ｋの値が５５であるか否かを判定する（Ｓ１３）。この判定の結果、変数Ｋの値が５５のときは前記Ｓ７の処理に移行し、これ以外のときは変数Ｋの値に１加算して（Ｋ＝Ｋ＋１）とし（Ｓ１４）、前記Ｓ８の処理に移行する。
【００６４】
上記の処理により、Ａモードのときは、使用者が空気マット１上に横になった状態でも全ての突起部１１の空気室３１の空気圧が常に初期値Ｐ１になるように制御されるので、突起部１１と使用者の身体との接触圧が局部的に高くなることを防止することができるため、充血の発生を低減できると共に使用者の身体における褥瘡の発症を低減することができる。
【００６５】
また、Ｂモードのときは、各突起部１１の高さが上下し、これがＹ軸方向へ波打つように移動するので、突起部１１間の隙間に空気の流れを起こさせることができるので、空気マット１と使用者の身体との間に蒸れを生ずることがないため、使用者の身体における褥瘡の発症を低減することができる。さらに、使用者の身体に適度な指圧効果を与えることができるので、身体における血行を良くして充血の発生も低減することができる。
【００６６】
尚、突起部１１の平断面積は２０平方センチメートル以下に設定することが好ましい。すなわち、現実の褥瘡の発症例を見ると、褥瘡の大きさが直径４〜５ｃｍ程度の発症が局部的に発症することが多いので、突起部１１の平断面積をこのような褥瘡の大きさ以下に設定することにより、突起部１１と身体との接触面積を従来発症例の多い褥瘡の面積以下にすることができるためである。
【００６７】
また、Ａモードにおいて、空気圧が高い空気室３１の空気圧を他の空気室３１の空気圧よりも低くなるように、空気流出用電磁バルブ６１を開放するように制御しても良い。
（第２実施形態）
次に、本発明の第２実施形態の空気マット装置に関して説明する。
【００６８】
図８は本発明の第２実施形態における空気マットの要部を示す断面図、図９は本発明の第２実施形態におけるセンサユニットの電気系回路を示すブロック図、図１０は本発明の第２実施形態における空気マット及び制御ユニットの電気系回路及び空気流通回路を示すブロック図である。これらの図において、前述した第１実施形態と同一構成部分は同一符号をもって表しその説明を省略する。また、第２実施形態における空気マット装置の外観は図１に示したものと同様である。
【００６９】
第２実施形態と前述した第１実施形態との相違点は、各電磁バルブ６１，６２の開閉制御をセンサユニット100Aを介して電波を用いてワイヤレスに行うようにすると共に、各センサユニット100への電力供給を電池105に代えて制御ユニット２から導電線６７を用いて行うようにしたことである。
【００７０】
すなわち、図８に示すように、センサユニット100Aの底面から突出したコネクタ106が中間層４０を貫通して凹部４１に突出し、このコネクタ106にコネクタ107が結合されている。コネクタ107には、電磁バルブ６１，６２の制御端子に接続された導電線と電力供給線６７が接続されている。
【００７１】
センサユニット100Aは、図９に示すように、空気圧センサ110と、ＣＰＵ111、メモリ112、送信回路113、送信用アンテナ114、受信用アンテナ115、受信回路116、開閉駆動制御回路117、コネクタ106とから構成されている。
【００７２】
受信回路116は受信用アンテナ115を介して後述する制御ユニット２から送信されたＩＤコードと制御信号の情報を含む電波を受信し、このＩＤコードと制御信号をＣＰＵ223に出力する。
【００７３】
ＣＰＵ111は、メモリ112に格納されているプログラムに基づいて動作し、所定時間おき、例えば１０秒おきに空気圧センサ110の検出結果の情報を送信回路113を介して送信する。このとき、ＣＰＵ111は、メモリ112に予め格納されてる自己の識別情報（ＩＤコード）を読み出して、このＩＤコードと共に検出結果の情報を送信する。尚、本実施形態では各センサユニット100のＩＤコードの一部として図６に示すようなＸ座標の値及びＹ座標の値を含めることにより、センサユニット100の装着位置を容易に把握できるようにしている。
【００７４】
また、ＣＰＵ111は、受信回路116から入力したＩＤコードが自己のＩＤコードに一致したとき、受信した制御信号に基づいて、開閉駆動制御回路117に電磁バルブ６１，６２の開閉制御信号を出力する。
【００７５】
開閉駆動制御回路117は、ＣＰＵ111から入力した開閉制御信号に基づいて、当該センサユニット110Aが配設されている空気室３１内の空気圧を調整する電磁バルブ６１，６２に対して駆動制御信号を出力する。
【００７６】
制御ユニット２は、図１０に示すように、ポンプ装置211と、ポンプ駆動回路212、受信用アンテナ221、受信回路222、ＣＰＵ223、メモリ224、送信回路226、送信用アンテナ227、電源回路240を備えている。
【００７７】
ＣＰＵ223は、メモリ224に格納されているプログラムによって動作し、受信回路222からセンサユニット100AのＩＤコードと空気圧検出結果の情報を入力すると共に、モード切替スイッチ２３による動作モード設定状態を読みとり、これらに基づいて、ポンプ駆動回路の動作制御を行うと共に各電磁バルブ６１，６２の開閉を行うための制御信号を送信回路226に出力する。その際、制御信号と共に制御対象となる電磁バルブ６１，６２に対応するセンサユニット100AのＩＤコードを送信する。
【００７８】
また、ＣＰＵ223は、各センサユニット100Aによる空気圧検出結果をＸ座標及びＹ座標に対応させてメモリ224に格納して各空気室３１内の空気圧を管理している。
【００７９】
送信回路226は、ＣＰＵ223からの制御信号を入力し、この制御信号に基づいて、各電磁バルブ６１，６２毎に開閉制御信号を送信用アンテナ227を介して所定周波数の電波としてセンサユニット100Aへ向けて送信する。尚、本実施形態では、病院等の医療機関においても使用が許可されている微弱無線用の周波数である３１５ＭＨｚ帯の周波数（センサユニット100Aの送信周波数とは異なる周波数）を送信周波数として用い、高周波出力を１０μＶ／ｍに設定している。
【００８０】
上記構成よりなる空気マット装置によれば、センサユニット100Aへの電力供給を制御ユニット２から有線で行っているので、第１実施形態に比べて電池交換等のメンテナンスの手間を削減することができる。
【００８１】
また、第１実施形態と同様に、上記構成よりなる第２実施形態の空気マット装置によれば、各突起部１１と使用者の身体との接触圧力が最適に制御され、突起部１１と使用者の身体との接触圧が局部的に高くなることを防止することができるので、使用者の身体における褥瘡の発症を低減することができる。また、突起部１１がマトリックス状に配置されているので、隣り合う突起部１１間に隙間が形成され、この隙間における空気の流通が生じ空気マット１と使用者の身体との間に蒸れを生ずることがないため、これによっても使用者の身体における褥瘡の発症を低減することができる。
【００８２】
尚、上記実施形態では、空気圧の検出結果をセンサユニット100Aから制御ユニット２へ１０秒おきに送信するようにしたが、これに限定されることはなく、送信間隔は適宜良好な値に設定することが好ましい。また、制御ユニット２から座標順にＩＤコードを指定して検出結果送信要求をセンサユニット100Aに送信し、この検出結果送信要求を受けたセンサユニット100Aが検出結果を送信するようにしても良い。
（第３実施形他）
次に、本発明の第３実施形態の空気マット装置に関して説明する。
【００８３】
図１１は本発明の第３実施形態におけるセンサユニットの電気系回路を示すブロック図、図１２は本発明の第２実施形態における空気マット及び制御ユニットの電気系回路及び空気流通回路を示すブロック図である。これらの図において、前述した第１及び第２実施形態と同一構成部分は同一符号をもって表しその説明を省略する。また、第３実施形態における空気マット装置の外観は図１に示したものと同様である。
【００８４】
第３実施形態と前述した第２実施形態との相違点は、各電磁バルブ６１，６２の開閉制御をセンサユニット100Bを介して有線で行うようにしたことである。
【００８５】
すなわち、センサユニット100Bは、図１１に示すように、空気圧センサ110と、ＣＰＵ111、メモリ112、開閉駆動制御回路117、受信回路118、送信回路119、送受信インタフェース回路120を備え、コネクタ106を介して制御ユニット２から駆動用の電力供給を受けている。
【００８６】
受信回路118は、コネクタ106及び送受信インタフェース回路120を介して制御ユニット２から有線でＩＤコードと制御信号を受信し、この受信したＩＤコードと制御信号をＣＰＵ111に出力する。
【００８７】
ＣＰＵ111は、メモリ112に格納されているプログラムに基づいて動作し、所定時間おき、例えば１０秒おきに空気圧センサ110の検出結果の情報を送信回路119及び送受信インタフェース回路120、コネクタ106を介して制御ユニット２へ送信する。このとき、ＣＰＵ111は、メモリ112に予め格納されてる自己の識別情報（ＩＤコード）を読み出して、このＩＤコードと共に検出結果の情報を送信する。
【００８８】
また、ＣＰＵ111は、受信回路116から入力したＩＤコードが自己のＩＤコードに一致したとき、受信した制御信号に基づいて、開閉駆動制御回路117に電磁バルブ６１，６２の開閉制御信号を出力する。
【００８９】
開閉駆動制御回路117は、ＣＰＵ111から入力した開閉制御信号に基づいて、当該センサユニット110Bが配設されている空気室３１内の空気圧を調整する電磁バルブ６１，６２に対して駆動制御信号を出力する。
【００９０】
送受信インタフェース回路120は、受信信号出力端子と送信信号入力端子、及び外部装置接続端子を有し、受信信号出力端子は受信回路118に接続され、送信信号入力端子は送信回路119に接続されている。さらに、送受信インタフェース回路120の外部装置接続端子はコネクタ106に接続されている。
【００９１】
また、送受信インタフェース回路120の外部装置接続端子は、コネクタ106を介して他のセンサユニット100Bの送受信インタフェース回路120及び後述する制御ユニット２の送受信インタフェース回路にデイジーチェーンで有線接続されている。
【００９２】
制御ユニット２は、図１２に示すように、ポンプ装置211と、ポンプ駆動回路212、ＣＰＵ223、メモリ224、受信回路228、送信回路229、送受信インタフェース回路230、電源回路240を備えている。
【００９３】
ＣＰＵ223は、メモリ224に格納されているプログラムによって動作し、受信回路228からセンサユニット100BのＩＤコードと空気圧検出結果の情報を入力すると共に、モード切替スイッチ２３による動作モード設定状態を読みとり、これらに基づいて、ポンプ駆動回路212の動作制御を行うと共に各電磁バルブ６１，６２の開閉を行うための制御信号を送信回路229に出力する。
【００９４】
また、ＣＰＵ223は、各センサユニット100Bによる空気圧検出結果をＸ座標及びＹ座標に対応させてメモリ224に格納して各空気室３１内の空気圧を管理している。
【００９５】
受信回路228は、各センサユニット100から送信された信号を送受信インタフェース回路230を介して受信し、受信信号からセンサユニット100BのＩＤコードと空気圧検出結果の情報を抽出して、これらをディジタルデータとしてＣＰＵ223に出力する。
【００９６】
送信回路229は、ＣＰＵ223からの制御信号を入力し、この制御信号に基づいて、各電磁バルブ６１，６２毎の開閉制御信号をセンサユニット100BのＩＤコードと共に送受信インタフェース回路230を介してセンサユニット100Bへ送信する。
【００９７】
上記構成よりなる空気マット装置によれば、センサユニット100Bへの電力供給を制御ユニット２から有線で行っているので、第１実施形態に比べて電池交換等のメンテナンスの手間を削減することができる。
【００９８】
また、センサユニット100Bの送受信インタフェース回路120と制御ユニット２の送受信インタフェース回路230とをデイジーチェーンで有線接続して空気圧の検出結果の情報および電磁バルブ６１，６２の開閉制御信号を送受信しているので、電波障害等による誤動作を起こすことがない。さらに、デイジーチェーンで有線接続しているので、配線本数を低減することができる。
【００９９】
また、第１及び第２実施形態と同様に、上記構成よりなる第３実施形態の空気マット装置によれば、各突起部１１と使用者の身体との接触圧力が最適に制御され、突起部１１と使用者の身体との接触圧が局部的に高くなることを防止することができるので、使用者の身体における褥瘡の発症を低減することができる。また、突起部１１がマトリックス状に配置されているので、隣り合う突起部１１間に隙間が形成され、この隙間における空気の流通が生じ空気マット１と使用者の身体との間に蒸れを生ずることがないため、これによっても使用者の身体における褥瘡の発症を低減することができる。
（第４実施形態）
次に、本発明の第４実施形態の空気マット装置に関して説明する。
【０１００】
図１３は本発明の第４実施形態における空気マットの要部を示す断面図である。図において、前述した第１乃至第３実施形態と同一構成部分は同一符号をもって表しその説明を省略する。
【０１０１】
また、第４実施形態の空気マット装置は、図１３に示すように、前述した第３実施形態の空気マット装置における空気マット１の突起部１１の上端部を半球形状に形成したものであり、その他の構成は第３実施形態と同じである。
【０１０２】
このように突起部１１の上端部を半球形状に形成することにより、突起部１１の上端部と使用者の身体との接触面積を低減することができるので、使用者の身体における充血や褥瘡の発症を低減することができる。
（第５実施形態）
次に、本発明の第５実施形態の空気マット装置に関して説明する。
【０１０３】
図１４は本発明の第５実施形態における空気マット装置を示す外観斜視図、図１５は本発明の第５実施形態における空気マットの要部を示す断面図である。これらの図において、前述した第１乃至第４実施形態と同一構成部分は同一符号をもって表しその説明を省略する。
【０１０４】
第５実施形態では、椅子用の空気マット装置を構成した。すなわち、第５実施形態の空気マット装置は、前述した第３実施形態の空気マット装置を椅子用に改造したもので、空気マット１に代えて椅子用の空気マット６を備えたものである。
【０１０５】
空気マット６は、図１４に示すように、椅子に適合した大きさ及び形状を有する座部１２Ａと背もたれ部１２Ｂから構成されている。
【０１０６】
空気マット６の座部１２Ａと背もたれ部１２Ｂのそれぞれは、柔軟性を有する部材からなる平板状のマット本体１２とマット本体１２の表面にマトリックス状に配置された複数の突起部１１Ａとを有し、マット本体１２の底面には互いに平行な複数の空気流通溝１２ａが形成されている。
【０１０７】
突起部１１Ａは、柔軟性及び非通気性を有する部材からなり、図１５に示すように、内部に空気漏れのないように密閉された空気室３１を有する半球形状をなし、その直径Ｄは２．５ｃｍ、高さＨは１．２５ｃｍ、互いに直交するＸ軸方向及びＹ軸方向の突起部１１の間隔Ｇ１，Ｇ２は１．２５ｃｍに設定され、マトリックス状に並べて設けられている。
【０１０８】
また、突起部形成層３０Ａは、図１５に示すように、薄手の所定厚さ、例えば３ｍｍの厚さの柔軟性及び非通気性を有するゴムシートからなり、上記の突起部１１Ａをなす凹凸面状に形成されている。
【０１０９】
椅子のように使用者の重心が高くなる場合には、使用時における安定性を高めるために、突起部１１Ａとしての効果を損なわない程度に突起部１１Ａの高さを低く設定することが好ましい。
【０１１０】
前述した椅子用の空気マット装置は、車椅子や車両の運転席に用いることで、長時間椅子に座ることによる身体の充血や蒸れの発生を低減することができる。また、動作モードをＢモードにして使用することにより身体のマッサージ効果を得ることもできる。
【０１１１】
尚、上記の各実施形態は本発明の一具体例にすぎず、本発明がこれらの具体例の構成のみに限定されることはない。例えば、上記実施形態ではベッド用及び椅子用の空気マット１，６を形成したがこれに限定されることはない。
【０１１２】
また、上記実施形態では突起部１１，１１Ａの形状を円柱形状或いは半球形状としたがこれら以外の形状であっても良いことは言うまでもない。
【０１１３】
また、制御ユニット２にディスプレイを設け、各空気室３１の空気圧を表示できるようにしても良い。さらに、制御ユニット２にキーボード等の操作部を設け、各突起部１１，１１Ａ毎に空気室３１の空気圧を指定して調整できるようにしても良い。さらに、制御ユニット２において任意の突起部１１，１１Ａをマトリックス座標によって指定して、指定した突起部１１，１１Ａを脈動させるように、該突起部１１，１１Ａに対応する空気流出用電磁バルブ６１と空気流入用電磁バルブ６２を交互に開閉する開閉制御信号を制御ユニット２から出力するようにしても良い。
【０１１４】
また、上記実施形態では制御ユニット２を商用電源からの電力供給で動作するようにしたが、バッテリー等の蓄電池からの電力供給で動作するようにしても良い。
【図面の簡単な説明】
【０１１５】
【図１】本発明の第１実施形態における空気マット装置を示す外観斜視図
【図２】本発明の第１実施形態における空気マットの要部を示す外観斜視図
【図３】本発明の第１実施形態における空気マットの要部を示す断面図
【図４】本発明の第１実施形態におけるセンサユニットの電気系回路を示すブロック図
【図５】本発明の第１実施形態における空気マット及び制御ユニットの電気系回路及び空気流通回路を示すブロック図
【図６】本発明の第１実施形態の空気マットにおける電気系配線及び空気流通回路を示す図
【図７】本発明の第１実施形態における空気マット装置の動作を説明するフローチャート
【図８】本発明の第２実施形態における空気マットの要部を示す断面図
【図９】本発明の第２実施形態におけるセンサユニットの電気系回路を示すブロック図
【図１０】本発明の第２実施形態における空気マット及び制御ユニットの電気系回路及び空気流通回路を示すブロック図
【図１１】本発明の第３実施形態におけるセンサユニットの電気系回路を示すブロック図
【図１２】本発明の第２実施形態における空気マット及び制御ユニットの電気系回路及び空気流通回路を示すブロック図
【図１３】本発明の第４実施形態における空気マットの要部を示す断面図
【図１４】本発明の第５実施形態における空気マット装置を示す外観斜視図
【図１５】本発明の第５実施形態における空気マットの要部を示す断面図
【符号の説明】
【０１１６】
１…空気マット、２…制御ユニット、６…空気マット、１１，１１Ａ…突起部、１２…マット本体、１２ａ…空気流通溝、１３，１４…コネクタ、２１…筐体、２２…電源スイッチ、２３…モード切替スイッチ、２４，２５…コネクタ、２６…ケーブル、２７…空気供給チューブ、２８…電源ケーブル、２８ａ…プラグ、３０，３０Ａ…突起部形成層、３１…空気室、４０…中間層、４１…凹部、５０…最下層、５１…貫通孔、６１…空気流出用電磁バルブ、６２…空気流入用電磁バルブ、６３，６４，６５，６６…空気流通チューブ、100,110A,110B…センサユニット、101,102…電源端子、103,104…電極、105…電池、106…コネクタ、110…空気圧センサ、111…ＣＰＵ、112…メモリ、113…送信回路、114…送信用アンテナ、115…受信用アンテナ、116…受信回路、117…開閉駆動制御回路、118…受信回路、119…送信回路、120…送受信インタフェース回路、211…ポンプ装置、212…ポンプ駆動回路、221…受信用アンテナ、222…受信回路、223…ＣＰＵ、224…メモリ、225…開閉制御インタフェース回路、226…送信回路、227…送信用アンテナ、228…受信回路、229…送信回路、230…送受信インタフェース回路、240…電源回路。
【図１】
2006204561.tif 000003
【図２】
2006204561.tif 000004
【図３】
2006204561.tif 000005
【図４】
2006204561.tif 000006
【図５】
2006204561.tif 000007
【図６】
2006204561.tif 000008
【図７】
2006204561.tif 000009
【図８】
2006204561.tif 000010
【図９】
2006204561.tif 000011
【図１０】
2006204561.tif 000012
【図１１】
2006204561.tif 000013
【図１２】
2006204561.tif 000014
【図１３】
2006204561.tif 000015
【図１４】
2006204561.tif 000016
【図１５】
2006204561.tif 000017